【手続補正書】
【提出日】平成17年7月7日(2005.7.7)
【手続補正１】
【補正対象書類名】明細書
【補正対象項目名】発明の名称
【補正方法】変更
【補正の内容】
【発明の名称】３レベル中性点クランプ形インバータ
【手続補正２】
【補正対象書類名】明細書
【補正対象項目名】特許請求の範囲
【補正方法】変更
【補正の内容】
【特許請求の範囲】
【請求項１】
４つのスイッチ素子を直列接続した３レベル中性点クランプ形インバータの１相分の回路において、
前記４つのスイッチ素子の中で正母線につながる第１のスイッチ素子と、前記第１のスイッチ素子と相出力端子との間に接続された第２のスイッチ素子と、前記相出力端子に接続されたもう１つのスイッチ素子の第３のスイッチ素子と、前記第３のスイッチ素子と負母線との間に接続された第４のスイッチ素子と、第１の絶縁電源を用いる第３のスイッチ素子用駆動電源と、第２の絶縁電源を用いる第４のスイッチ素子用駆動電源と、
前記第１の絶縁電源と第１の整流素子と第１のキャパシタと前記第２のスイッチ素子と前記第３のスイッチ素子とを直列接続し、前記第２のスイッチ素子と前記第３のスイッチ素子が同時にオンになった時に前記第１のキャパシタが第１の絶縁電源から充電されて該充電電荷を駆動電源とする第１のスイッチ素子用駆動電源と、前記第１の絶縁電源と第２の整流素子と第２のキャパシタと前記第３のスイッチ素子とを直列接続し、前記第３のスイッチ素子がオンになった時に前記第２のキャパシタが第１の絶縁電源から充電されて該充電電荷を駆動電源とする第２のスイッチ素子用駆動電源とを備えたことを特徴とする３レベル中性点クランプ形インバータ。
【請求項２】
請求項1記載の３レベル中性点クランプ形インバータにおいて、正極を前記正母線に接続した第３の絶縁電源と、正極を前記第３のスイッ素子と前記第４のスイッチ素子との接続点に接続した第４の絶縁電源を用いる前記第３のスイッチ素子の逆バイアス用駆動電源と、正極を前記負母線に接続した第５の絶縁電源を用いる前記第４のスイッチ素子の逆バイアス用駆動電源と、前記第３の絶縁電源と第３の整流素子と第３のキャパシタと前記第１のスイッチ素子とを直列接続し、前記第１のスイッチ素子がオンになった時に前記第３のキャパシタが前記第３の絶縁電源から充電されて該充電電荷を用いる前記第１のスイッチ素子の逆バイアス用駆動電源と、前記第３の絶縁電源と第４の整流素子と第４のキャパシタと前記第1のスイッチ素子と第2のスイッチ素子とを直列接続し、前記第１のスイッチ素子と第２のスイッチ素子が同時にオンになった時に前記第４のキャパシタが前記第３の絶縁電源から充電されて該充電電荷を用いる前記第２スイッチ素子の逆バイアス用駆動電源とを備えたことを特徴とした３レベル中性点クランプ形インバータ。
【請求項３】
請求項２記載の３レベル中性点クランプ形インバータにおいて、前記第１の絶縁電源と前記第４の絶縁電源を分圧回路を利用して１つにまとめた第６の絶縁電源と、前記第２の絶縁電源と前記第５の絶縁電源を分圧回路を利用して１つにまとめた第７の絶縁電源とを備えたことを特徴とする３レベル中性点クランプ形インバータ。
【請求項４】
４つのスイッチ素子を直列接続した３レベル中性点クランプ形インバータの１相分の回路において、前記４つのスイッチ素子の中で正母線につながる第1のスイッチ素子と、前記第1のスイッチ素子と相出力端子との間に接続された第２のスイッチ素子と、前記相出力端子に接続されたもう一つのスイッチ素子の第３のスイッチ素子と、前記第３のスイッチ素子と負母線との間に接続された第４のスイッチ素子と、第１の絶縁電源を用いる第３のスイッチ素子用駆動用電源と、第２の絶縁電源を用いる前記第４のスイッチ素子用駆動用電源と、前記第１の絶縁電源と第１の整流素子および第２の整流素子と第１のキャパシタと前記第２のスイッチ素子と第３のスイッチ素子とを直列接続し、前記第２のスイッチ素子と前記第３のスイッチ素子が同時にオンになった時に前記第１のキャパシタが前記第１の絶縁電源から充電されて該充電電荷を駆動電源とする第１のスイッチ素子用駆動電源と、前記第１の絶縁電源と第２の整流素子と第２のキャパシタと前記第３のスイッチ素子とを直列接続し、前記第３のスイッチ素子がオンになった時に前記第２のキャパシタが前記第１の絶縁電源から充電され該充電電荷を駆動電源とする第２のスイッチ素子用駆動電源とを備えたことを特徴とした３レベル中性点クランプ形インバータ。
【請求項５】
請求項４記載の３レベル中性点クランプ形インバータにおいて、正極を前記正母線に接続した第３の絶縁電源と、正極を前記第３のスイッチ素子と第４のスイッチ素子との接続点に接続した第４の絶縁電源を用いる前記第３のスイッチ素子の逆バイアス用駆動電源と、正極を前記負母線に接続した第五の絶縁電源を用いる前記第４のスイッチ素子の逆バイアス用駆動電源と、前記第３の絶縁電源と第３の整流素子と第３のキャパシタと第１のスイッチ素子とを直列接続し，前記第１のスイッチ素子がオンになった時に前記第３のキャパシタが前記第３の絶縁電源から充電され該充電電荷を用いる前記第１のスイッチ素子の逆バイアス用駆動電源と、前記第３の絶縁電源と第４の整流素子と第４のキャパシタと前記第１のスイッチ素子と第２のスイッチ素子とを直列接続し、前記第１のスイッチ素子と第２のスイッチ素子が同時にオンになった時に前記第４のキャパシタが前記第３の絶縁電源から充電され該充電電荷を用いる前記第２のスイッチ素子の逆バイアス用駆動電源とを備えたことを特徴とする３レベル中性点クランプ形インバータ。
【請求項６】
請求項５記載の３レベル中性点クランプ形インバータにおいて、前記第１の絶縁電源と前記第４の絶縁電源を分圧回路を利用して１つにまとめた第６の絶縁電源と、分圧回路を用いて前記第２の絶縁電源と前記第５の絶縁電源を分圧回路を利用して１つにまとめた第７の絶縁電源とを備えたことを特徴とする３レベル中性点クランプ形インバータ。
【請求項７】
請求項１記載の３レベル中性点クランプ形インバータにおいて、前記第１および第２の整流素子各々と直列に電流制限抵抗を設けたことを特徴とする３レベル中性点クランプ形インバータ。
【請求項８】
請求項２記載の３レベル中性点クランプ形インバータにおいて、前記第１、第２、第３、第４の整流素子各々と直列に電流制限抵抗を設けたことを特徴とする３レベル中性点クランプ形インバータ。
【請求項９】
請求項３記載の３レベル中性点クランプ形インバータにおいて、前記第１、第２、第３、第４の整流素子の各々と直列に電流制限抵抗を設けたことを特徴とする３レベル中性点クランプ形インバータ。
【請求項１０】
請求項４記載の３レベル中性点クランプ形インバータにおいて、前記第１および第２の整流素子各々と直列に電流制限抵抗を設けたことを特徴とする２レベル中性点クランプ形インバータ。
【請求項１１】
請求項５記載の３レベル中性点クランプ形インバータにおいて、前記第１、第２、第３、第４の整流素子の各々と直列に電流制限抵抗を設けたことを特徴とする３レベル中性点クランプ形インバータ。
【請求項１２】
請求項６記載の３レベル中性点クランプ形インバータにおいて、前記第１、第２、第３、第４の整流素子各々と直列に電流制限抵抗を設けたことを特徴とする３レベル中性点クランプ形インバータ。
【請求項１３】
請求項１記載の３レベル中性点クランプ形インバータにおいて、前記第１の絶縁電源と直列に電流制限抵抗を設けたことを特徴とする３レベル中性点クランプ形インバータ。
【請求項１４】
請求項２記載の３レベル中性点クランプ形インバータにおいて、前記第１の絶縁電源と直列に第１の電流制限抵抗を設け第３の絶縁電源と直列に第２の電流制限抵抗を設けたことを特徴とする３レベル中性点クランプ形インバータ。
【請求項１５】
請求項３記載の３レベル中性点クランプ形インバータにおいて、前記第１の分圧回路の正出力端子に第１の電流制限抵抗を設け、前記第３の絶縁電源と直列に第２の電流制限抵抗を設けたことを特徴とする３レベル中性点クランプ形インバータ。
【請求項１６】
請求項４記載の３レベル中性点クランプ形インバータにおいて、前記第１の絶縁電源と直列に電流制限抵抗を設けたことを特徴とする３レベル中性点クランプ形インバータ。
【請求項１７】
請求項５記載の３レベル中性点クランプ形インバータにおいて、前記第１の絶縁電源と直列に第１の電流制限抵抗を設け、前記第３の絶縁電源と直列に第２の電流制限抵抗を設けたことを特徴とする３レベル中性点クランプ形インバータ。
【請求項１８】
請求項６記載の３レベル中性点クランプ形インバータにおいて、前記第1の分圧回路の正出力端子に第1の電流制限抵抗を設け、前記第３の絶縁電源と直列に第２の電流制限抵抗を設けたことを特徴とする３レベル中性点クランプ形インバータ。
【請求項１９】
４つのスイッチ素子を直列接続した３レベル中性点クランプ形インバータの１相分の回路において、前記４つのスイッチ素子の中で正母線につながる第１のスイッチ素子と、前記第１のスイッチ素子と相出力端子との間に接続された第２のスイッチ素子と、前記相出力端子に接続されたもう１つのスイッチ素子の第３のスイッチ素子と、前記第３のスイッチ素子と負母線との間に接続された第４のスイッチ素子と、前記正母線と前記相出力端子間に第１の整流素子と第１の電流制限抵抗および第１のキャパシタを直列接続した回路を接続し、前記第１のキャパシタと並列に第１の定電圧器を接続し、前記第１のキャパシタの一端子を前記相出力端子に接続して、前記第３のスイッチ素子がオンした時に前記正母線と中性点間の第１の電源によって前記第１のキャパシタが充電され該充電電荷を駆動電源とする第２のスイッチ素子用駆動電源と、前記負母線と前記相出力端子間に第２の整流素子と第２の電流制限抵抗および第２のキャパシタを直列接続した回路を接続し、前記第２のキャパシタと並列に第２の定電圧器を接続し、前記第２のキャパシタの一端子を前記相出力端子に接続して、前記第２のスイッチ素子がオンした時に前記中性点と前記負母線間の第２の電源によって第２のキャパシタが充電され該充電電荷を用いる第２のスイッチ素子の逆バイアス用駆動電源と、前記第１のキャパシタの相出力端子に接続されていない方の端子と前記第１のスイッチ素子と前記第２のスイッチ素子の接続点の間に第３のキャパシタと第３の整流素子の直列回路を接続し、前記第３のキャパシタの一端子を前記第１のスイッチ素子と前記第２のスイッチ素子の接続点に接続して、前記第２のスイッチ素子がオンした時に前記第３のキャパシタが前記第１のキャパシタから充電され該充電電荷を駆動電源とする第１のスイッチ素子用駆動電源と、前記第１と第２のスイッチ素子の接続点と中性点間に第３の定電圧器を並列接続した第４のキャパシタと第３の電流制限抵抗と第５の整流素子を直列接続した回路を接続し、前記第１のスイッチ素子がオンした時に前記第１の電源から前記第４のキャパシタが充電され該充電電荷を用いる第１のスイッチ素子の逆バイアス用駆動電源と、前記第３のスイッチ素子と第４のスイッチ素子の接続点と前記中性点間に第４の定電圧器を並列接続した第５のキャパシタと第４の電流制限抵抗と第６の整流素子を直列接続した回路を接続し、前記第５のキャパシタの一端子を前記接続点に接続して、前記第４のスイッチ素子がオンした時に前記第２の電源から前記第５のキャパシタが充電され該充電電荷を駆動電源とする第３のスイッチ素子用駆動電源と、前記第２のキャパシタの相出力端子に接続されていない方の端子と前記第３および第４のスイッチ素子の接続点との間に第４の整流素子と第６のキャパシタを直列接続した回路を接続し、前記第６のキャパシタの一方の端子は前記第３および第４のスイッチ素子の接続点に接続して、前記第３のスイッチ素子がオンした時に前記第６のキャパシタが前記第２のキャパシタから充電され該充電電荷を用いる第３のスイッチ素子の逆バイアス用駆動電源とを備えたことを特徴とする３レベル中性点クランプ形インバータ。
【請求項２０】
請求項１９記載の３レベル中性点クランプ形インバータにおいて、前記第１の整流素子の陽極の接続点を前記正母線より前記第１のスイッチ素子と第２のスイッチ素子の接続点に変更して接続し、前記第２の整流素子の陰極の接続点を前記第３のスイッチ素子と第４のスイッチ素子の接続点に変更して接続し、前記第３のスイッチ素子と前記第４のスイッチ素子が同時にオンした時に前記負母線と中性点間の前記第２の電源によって前記第１のキャパシタが充電され該充電電荷を駆動電源とする第２のスイッチ素子用駆動電源と、前記第１のスイッチ素子と前記第２のスイッチ素子が同時にオンした時に前記中性点と正母線間の第１の電源によって前記第２のキャパシタが充電され該充電電荷を用いる第２のスイッチ素子の逆バイアス用駆動電源とを備えたことを特徴とする３レベル中性点クランプ形インバータ。
【手続補正３】
【補正対象書類名】明細書
【補正対象項目名】０００４
【補正方法】変更
【補正の内容】
【０００４】
【課題を解決するための手段】
上記目的を達成するため、請求項１に記載の発明は、４つのスイッチ素子を直列接続した３レベル中性点クランプ形インバータの１相分の回路において、前記４つのスイッチ素子の中で正母線につながる第１のスイッチ素子と、前記第１のスイッチ素子と相出力端子との間に接続された第２のスイッチ素子と、前記相出力端子に接続されたもう１つのスイッチ素子の第３のスイッチ素子と、前記第３のスイッチ素子と負母線との間に接続された第４のスイッチ素子と、第１の絶縁電源を用いる第３のスイッチ素子用駆動電源と、第２の絶縁電源を用いる第４のスイッチ素子用駆動電源と、前記第１の絶縁電源と第１の整流素子と第１のキャパシタと前記第２のスイッチ素子と前記第３のスイッチ素子とを直列接続し、前記第２のスイッチ素子と前記第３のスイッチ素子が同時にオンになった時に前記第１のキャパシタが第１の絶縁電源から充電されて該充電電荷を駆動電源とする第１のスイッチ素子用駆動電源と、前記第１の絶縁電源と第２の整流素子と第２のキャパシタと前記第３のスイッチ素子とを直列接続し、前記第３のスイッチ素子がオンになった時に前記第２のキャパシタが第１の絶縁電源から充電されて該充電電荷を駆動電源とする第２のスイッチ素子用駆動電源とを備えている。
請求項２に記載の発明は、請求項1記載の３レベル中性点クランプ形インバータにおいて、正極を前記正母線に接続した第３の絶縁電源と、正極を前記第３のスイッ素子と前記第４のスイッチ素子との接続点に接続した第４の絶縁電源を用いる前記第３のスイッチ素子の逆バイアス用駆動電源と、正極を前記負母線に接続した第５の絶縁電源を用いる前記第４のスイッチ素子の逆バイアス用駆動電源と、前記第３の絶縁電源と第３の整流素子と第３のキャパシタと前記第１のスイッチ素子とを直列接続し、前記第１のスイッチ素子がオンになった時に前記第３のキャパシタが前記第３の絶縁電源から充電されて該充電電荷を用いる前記第１のスイッチ素子の逆バイアス用駆動電源と、前記第３の絶縁電源と第４の整流素子と第４のキャパシタと前記第１のスイッチ素子と第２のスイッチ素子とを直列接続し、前記第１のスイッチ素子と第２のスイッチ素子が同時にオンになった時に前記第４のキャパシタが前記第３の絶縁電源から充電されて該充電電荷を用いる前記第２スイッチ素子の逆バイアス用駆動電源とを備えている。
【手続補正４】
【補正対象書類名】明細書
【補正対象項目名】０００５
【補正方法】変更
【補正の内容】
【０００５】
請求項３に記載の発明は、請求項２記載の３レベル中性点クランプ形インバータにおいて、前記第１の絶縁電源と前記第４の絶縁電源を分圧回路を利用して１つにまとめた第６の絶縁電源と、前記第２の絶縁電源と前記第５の絶縁電源を分圧回路を利用して１つにまとめた第７の絶縁電源とを備えている。
請求項４に記載の発明は、４つのスイッチ素子を直列接続した３レベル中性点クランプ形インバータの１相分の回路において、前記４つのスイッチ素子の中で正母線につながる第１のスイッチ素子と、前記第１のスイッチ素子と相出力端子との間に接続された第２のスイッチ素子と、前記相出力端子に接続されたもう一つのスイッチ素子の第３のスイッチ素子と、前記第３のスイッチ素子と負母線との間に接続された第４のスイッチ素子と、第１の絶縁電源を用いる第３のスイッチ素子用駆動用電源と、第２の絶縁電源を用いる前記第４のスイッチ素子用駆動用電源と、前記第１の絶縁電源と第１の整流素子および第２の整流素子と第１のキャパシタと前記第２のスイッチ素子と第３のスイッチ素子とを直列接続し、前記第２のスイッチ素子と前記第３のスイッチ素子が同時にオンになった時に前記第１のキャパシタが前記第１の絶縁電源から充電されて該充電電荷を駆動電源とする第１のスイッチ素子用駆動電源と、前記第１の絶縁電源と第２の整流素子と第２のキャパシタと前記第３のスイッチ素子とを直列接続し、前記第３のスイッチ素子がオンになった時に前記第２のキャパシタが前記第１の絶縁電源から充電され該充電電荷を駆動電源とする第２のスイッチ素子用駆動電源とを備えている。
【手続補正５】
【補正対象書類名】明細書
【補正対象項目名】０００６
【補正方法】変更
【補正の内容】
【０００６】
請求項５に記載の発明は、請求項４記載の３レベル中性点クランプ形インバータにおいて、正極を前記正母線に接続した第３の絶縁電源と、正極を前記第３のスイッチ素子と第４のスイッチ素子との接続点に接続し第四の絶縁電源を用いる前記第３のスイッチ素子の逆バイアス用駆動電源と、正極を前記負母線に接続した第五の絶縁電源を実用いる前記第４のスイッチ素子の逆バイアス用駆動電源と、前記第３の絶縁電源と第３の整流素子と第３のキャパシタと第１のスイッチ素子とを直列接続し、前記第1のスイッチ素子がオンになった時に前記第３のキャパシタが前記第３の絶縁電源から充電され該充電電荷を用いる前記第１のスイッチ素子の逆バイアス用駆動電源と、前記第３の絶縁電源と第４の整流素子と第４のキャパシタと前記第１のスイッチ素子と第２のスイッチ素子とを直列接続し、前記第１のスイッチ素子と第２のスイッチ素子が同時にオンになった時に前記第４のキャパシタが前記第３の絶縁電源から充電され該充電電荷を用いる前記第２のスイッチ素子の逆バイアス用駆動電源とを備えている。
請求項６に記載の発明は、請求項５記載の３レベル中性点クランプ形インバータにおいて、前記第１の絶縁電源と前記第４の絶縁電源を分圧回路を利用して１つにまとめた第６の絶縁電源と、分圧回路を用いて前記第２の絶縁電源と前記第５の絶縁電源を分圧回路を利用して１つにまとめた第７の絶縁電源とを備えている。
請求項７に記載の発明は、請求項１記載の３レベル中性点クランプ形インバータにおいて、前記第１および第２の整流素子各々と直列に電流制限抵抗を設けている。
請求項８に記載の発明は、請求項２記載の３レベル中性点クランプ形インバータにおいて、前記第１、第２、第３、第４の整流素子各々と直列に電流制限抵抗を設けている。
請求項９に記載の発明は、請求項３記載の３レベル中性点クランプ形インバータにおいて、前記第１、第２、第３、第４の整流素子各々と直列に電流制限抵抗を設けている。
請求項１０記載の発明は、請求項４記載の３レベル中性点クランプ形インバータにおいて、前記第１および第２の整流素子各々と直列に電流制限抵抗を設けている。
【手続補正６】
【補正対象書類名】明細書
【補正対象項目名】０００７
【補正方法】変更
【補正の内容】
【０００７】
請求項１１に記載の発明は、請求項５記載の３レベル中性点クランプ形インバータにおいて、前記第１、第２、第３、第４の整流素子各々と直列に電流制限抵抗を設けている。
請求項１２に記載の発明は、請求項６記載の３レベル中性点クランプ形インバータにおいて、前記第１、第２、第３、第４の整流素子各々と直列に電流制限抵抗を設けている。
請求項１３に記載の発明は、請求項１記載の３レベル中性点クランプ形インバータにおいて、前記第１の絶縁電源と直列に電流制限抵抗を設けている。
請求項１４に記載の発明は、請求項２記載の３レベル中性点クランプ形インバータにおいて、前記第１の絶縁電源と直列に第１の電流制限抵抗を設け第３の絶縁電源と直列に第２の電流制限抵抗を設けている。
請求項１５に記載の発明は、請求項３記載の３レベル中性点クランプ形インバータにおいて、前記第１の分圧回路の正出力端子に第１の電流制限抵抗を設け、前記第３の絶縁電源と直列に第２の電流制限抵抗を設けている。
請求項１６に記載の発明は、請求項４記載の３レベル中性点クランプ形インバータにおいて、前記第１の絶縁電源と直列に電流制限抵抗を設けている。
請求項１７に記載の発明は、請求項５記載の３レベル中性点クランプ形インバータにおいて、前記第１の絶縁電源と直列に第１の電流制限抵抗を設け、前記第３の絶縁電源と直列に第２の電流制限抵抗を設けている。
請求項１８に記載の発明は、請求項６記載の３レベル中性点クランプ形インバータにおいて、前記第1の分圧回路の正出力端子に第1の電流制限抵抗を設け、前記第３の絶縁電源と直列に第２の電流制限抵抗を設けている。
【手続補正７】
【補正対象書類名】明細書
【補正対象項目名】０００８
【補正方法】変更
【補正の内容】
【０００８】
請求項１９に記載の発明は、４つのスイッチ素子を直列接続した３レベル中性点クランプ形インバータの１相分の回路において、前記４つのスイッチ素子の中で正母線につながる第１のスイッチ素子と、前記第１のスイッチ素子と相出力端子との間に接続された第２のスイッチ素子と、前記相出力端子に接続されたもう１つのスイッチ素子の第３のスイッチ素子と、前記第３のスイッチ素子と負母線との間に接続された第４のスイッチ素子と、前記正母線と前記相出力端子間に第１の整流素子と第１の電流制限抵抗および第１のキャパシタを直列接続した回路を接続し、前記第１のキャパシタと並列に第１の定電圧器を接続し、前記第１のキャパシタの一端子を前記相出力端子に接続して、前記第３のスイッチ素子がオンした時に前記正母線と中性点間の第１の電源によって前記第１のキャパシタが充電され該充電電荷を駆動電源とする第２のスイッチ素子用駆動電源と、前記負母線と前記相出力端子間に第２の整流素子と第２の電流制限抵抗および第２のキャパシタを直列接続した回路を接続し、前記第２のキャパシタと並列に第２の定電圧器を接続し、前記第２のキャパシタの一端子を前記相出力端子に接続して、前記第２のスイッチ素子がオンした時に前記中性点と前記負母線間の第２の電源によって第２のキャパシタが充電され該充電電荷を用いる第２のスイッチ素子の逆バイアス用駆動電源と、前記第１のキャパシタの相出力端子に接続されていない方の端子と前記第１のスイッチ素子と前記第２のスイッチ素子の接続点の間に第３のキャパシタと第３の整流素子の直列回路を接続し、前記第３のキャパシタの一端子を前記第１のスイッチ素子と前記第２のスイッチ素子の接続点に接続して、前記第２のスイッチ素子がオンした時に前記第３のキャパシタが前記第１のキャパシタから充電され該充電電荷を駆動電源とする第１のスイッチ素子用駆動電源と、前記第１と第２のスイッチ素子の接続点と中性点間に第３の定電圧器を並列接続した第４のキャパシタと第３の電流制限抵抗と第５の整流素子を直列接続した回路を接続し、前記第１のスイッチ素子がオンした時に前記第１の電源から前記第４のキャパシタが充電され該充電電荷を用いる第１のスイッチ素子の逆バイアス用駆動電源と、前記第３のスイッチ素子と第４のスイッチ素子の接続点と前記中性点間に第４の定電圧器を並列接続した第５のキャパシタと第４の電流制限抵抗と第６の整流素子を直列接続した回路を接続し、前記第５のキャパシタの一端子を前記接続点に接続して、前記第４のスイッチ素子がオンした時に前記第２の電源から前記第５のキャパシタが充電され該充電電荷を駆動電源とする第３のスイッチ素子用駆動電源と、前記第２のキャパシタの相出力端子に接続されていない方の端子と前記第３および第４のスイッチ素子の接続点との間に第４の整流素子と第６のキャパシタを直列接続した回路を接続し、前記第６のキャパシタの一方の端子は前記第３および第４のスイッチ素子の接続点に接続して、前記第３のスイッチ素子がオンした時に前記第６のキャパシタが前記第２のキャパシタから充電され該充電電荷を用いる第３のスイッチ素子の逆バイアス用駆動電源とを備えている。
請求項２０に記載の発明は、請求項１９記載の３レベル中性点クランプ形インバータにおいて、前記第１の整流素子の陽極の接続点を前記正母線より前記第１のスイッチ素子と第２のスイッチ素子の接続点に変更して接続し、前記第２の整流素子の陰極の接続点を前記第３のスイッチ素子と第４のスイッチ素子の接続点に変更して接続し、前記第３のスイッチ素子と前記第４のスイッチ素子が同時にオンした時に前記負母線と中性点間の前記第２の電源によって前記第１のキャパシタが充電され該充電電荷を駆動電源とする第２のスイッチ素子用駆動電源と、前記第１のスイッチ素子と前記第２のスイッチ素子が同時にオンした時に前記中性点と正母線間の第１の電源によって前記第２のキャパシタが充電され該充電電荷を用いる第２のスイッチ素子の逆バイアス用駆動電源とを備えている。